(57)【特許請求の範囲】
【請求項１】
少なくともベッド本体の足載せ側が折れ曲がって構成される椅子状部における尻載せ部に便座部を備え、該便座部が、便蓋の開閉動作に連動する昇降機構により、開蓋時には便座部の上面が尻載せ部の上面とほぼ面一になるように上昇すると共に、閉蓋時には便蓋の上面が尻載せ部の上面よりも下側になるように下降するようにした便座付介護用ベッドにおいて、便座部を尻載せ部の左右端部いずれか一方に配設すると共に、便蓋を便座部が配設された尻載せ部の端部外側で軸支して便座部の開閉を左右方向の回動により行うようにし、昇降機構を、前記便蓋の開閉動に連動する第１リンク機構と、該第１リンク機構に連動する第２リンク機構と、両リンク機構間に介在され、前記第１リンク機構の動作を前記第２リンク機構に伝達する伝達機構とで構成して全て便蓋の下側に位置するように配設し、第１リンク機構は、便蓋の開閉動に伴って左右方向に往復動する往復杆と、該往復杆の往復動に連動して、平面視において時計回り及び反時計回りに回動可能に軸支された回動板とを備えて構成され、第２リンク機構は、伝達機構を介して回動板の回動が伝達されて、便座部を前後に移動させながら上下動させる方向に回動作する便座持ち上げリンク部と、便座持ち上げリンク部の動作に便座部を介して追従して回動作する追従リンク部とを備え、便座部が最上部に位置したときに、便座部にかかる荷重により前記両リンク部が前方へ回動する位置となるように構成され、さらに、この位置において両リンク部の前方への回動を停止させるストッパーを備え、伝達機構は、第１リンク機構における回動板の他端と第２リンク機構における便座持ち上げリンク部に亘って介在されて、回動板の前記動作を便座持ち上げリンク部の前記動作に変換するものであることを特徴とする便座付介護用ベッド。
【請求項２】
ベッド本体の足載せ側前端に手すりを有する便座付介護用ベッドであり、手すりとベッド本体とを相互に上下スライド可能に連結すると共に、手すりの下端に床に接するローラーを設けてあることを特徴とする請求項１に記載の便座付介護用ベッド。
【発明の詳細な説明】
【０００１】
【発明の属する技術分野】
本発明は、読書や食事又は用便時に椅子状に折り曲げて座った姿勢で使用できる便座付介護用ベッド、特に、便座が昇降する機構を備えた便座付介護用ベッドに関する。
【０００２】
【従来の技術】
便座付介護用ベッドにおいては、現在、各種のものが提案されており、本願出願人でも、特開平２０００−２２５１５２号公報（特許登録３０３７６７８号）で既に提案している。
公報記載の発明における便座付介護用ベッドの基本的な構成を説明すると、ベッド本体の背受部、尻載部、下腿受部、足載部の各部が椅子状に折り曲げられ、前記尻載部の枠の一画に便座部を設けたものであり、該便座部の後方に便蓋が前後方向に回動して便座部を開閉するように軸支されている。又、便座部と便蓋とに亘ってリンク機構からなる昇降機構が介在され、この便蓋の開閉に連動する昇降機構によって、便座部が前後方向に移動しながら上下動し、便蓋の全開状態において、便座部が尻載部上のマット上面と略面一となる。さらに、リンク機構にロック機構が備えられており、便蓋が全開状態となると自動的にロックされて、便座部の位置を尻載部上のマット上面と略面一とする位置で固定するようになっている。そして、このロック機構は、便蓋とロック機構に亘って設けられたワイヤを、便蓋に設けられたワイヤ操作機構で牽引操作することでロックの解除をするようになっており、ロック解除後に便蓋を閉じることができる。
この発明によって、実開昭５９−７６２２３号公報で提案されているハンドル操作での便座部の上下動による操作性の不具合を解決し、被介護者自身が介護者に頼ることなく、又、便座部への容易な移動が実現した。
【０００３】
ところで、被介護者自身が可能な限り身の回りのことを行い、自らの身体を動かすことが身体の回復のために効果があることから、最近ではリハビリテーションの一つとして実施されている。
つまり、このような便座付介護用ベッドについては、便蓋開閉の操作性を向上させることが、被介護者自身が自ら動くということに関して大きな効果がある。そのため、本出願人は、特開平２０００−２２５１５２号公報で提案した便座付介護用ベッドにおける便蓋開閉の操作性の向上について鋭意研究した結果、当該便座付介護用ベッドから改良点を見出して本願発明に至った。
【０００４】
【発明が解決しようとする課題】
本発明は、便蓋開閉の操作性をさらに向上させることにより、被介護者自身による用便時の用意及び仕舞いを容易にして、被介護者自身によるリハビリテーションに貢献することを課題とし、この課題を解決することができる便座付介護用ベッドの提供を目的とする。
他の目的とすることは、上記目的に加えて、用便時において被介護者が移動のために用いる手すりとなる便座付介護用ベッドの前端側の手すりの高さを、用便時及び通常のベッド使用時で一定に保ち、被介護者が用便時に用いる手すりと通常のベッドとして使用する場合の手すりを兼用可能とすることである。
【０００５】
【課題を解決するための手段】
本発明は、上記目的を達成するために下記の技術的手段を採用する。
その技術的手段は、図１乃至図１０に示すように、少なくともベッド本体１Ａの足載側が折れ曲がって構成される椅子状部における尻載部１２に便座部２を備え、該便座部２が、便蓋３の開閉動作に連動する昇降機構４により、開蓋時には便座部２の上面が尻載部１２の上面とほぼ面一になるように上昇すると共に、閉蓋時には便蓋２の上面が尻載部３の上面よりも下側になるように下降するようにした便座付介護用ベッド１において、便座部２を尻載部１２の左右端部いずれか一方に配設すると共に、便蓋３を便座部２が配設された尻載部１２の端部外側で軸支して便座部２の開閉を左右方向の回動により行うようにする。又、昇降機構４を、前記便蓋３の開閉動に連動する第１リンク機構６と、該第１リンク機構６に連動する第２リンク機構７と、両リンク機構間に介在され、前記第１リンク機構６の動作を前記第２リンク機構７に伝達する伝達機構８とで構成して全て便蓋３の下側に位置するように配設する。そして、第１リンク機構６を、便蓋３の開閉動に伴って左右方向に往復動する往復杆６１と、該往復杆６１の往復動に連動して、平面視において時計回り及び反時計回りに回動可能に軸支された回動板６２とを備えて構成する。又、第２リンク機構７を、伝達機構８を介して回動板６２の回動が伝達されて、便座部２を前後に移動させながら上下動させる方向に回動作する便座持ち上げリンク部７１と、便座持ち上げリンク部７１の動作に便座部２を介して追従して回動作する追従リンク部７２とを備えて構成する。さらに、便座部２が最上部に位置したときに前記両リンク部が前方へ回動する位置となるようにし、この位置において両リンク部の前方へのみ回動を停止させるストッパー７３を備える。又、伝達機構８を、第１リンク機構６における回動板６２と第２リンク機構７における便座持ち上げリンク部７１に亘って介在されて、回動板６２の前記動作を便座持ち上げリンク部７１の前記動作に変換するものを用いる。（請求項１）
【０００６】
又、他の目的を達成するための技術的手段は、ベッド本体１Ａの足載せ側前端に手すり５を有する便座付介護用ベッド１である場合、手すり５とベッド本体１Ａとを相互に上下スライド可能に連結すると共に、手すり５の下端に床に接するローラー５１Ａ，５１Ｂを設けることである。（請求項２）
【０００７】
【発明の実施の形態】
本発明の便座付介護用ベッド１は、少なくとも、ベッド本体１Ａの足載部１４が折り曲げられて椅子状となるものを対象にしており、つまり、足載部１４に加えて背凭部１１が折れ曲がるものも包含する。折り曲げる手段としては、特開平２０００−２２５１５２号公報に記載の便座付介護用ベッドと同様に、駆動部１Ｃを駆動源として作動する伸縮ロッド１Ｂが挙げられるが、本発明においてはこの手段に限定されるものではない。
便座部２の位置については、左仕様、右仕様変更可能とし、ベッドを載置する位置や被介護者の好みに応じて変更可能にすることが好適であり、便蓋３についても左仕様、右仕様兼用であることが好適である。
【０００８】
ベッド本体１Ａ上には、前記特開平２０００−２２５１５２号公報に記載の便座付介護用ベッドと同様にマット１１Ａが敷設される。便蓋３上に敷設されるマット１２Ａについては、例えば便蓋３に着脱可能に固定して便蓋３と一体に開閉するようにしてもよいし、単に便蓋上に置いて用便時に抜き取って便蓋３を開くようにしてもよく、いずれの方法にしても、ベッド本体１Ａ上に敷設される全てのマットと略面一とする。
【０００９】
本発明に用いられる伝達機構８は、例えば、リンクボールと呼ばれる公知の球面軸受けを用いた態様が挙げられる。（リンクボール：登録商標第１０９３６５４号，商標権者テイエイチケー（株））このリンクボールの作用により、回動板６２の平面視における時計回り及び反時計回りの回動（平面方向の回動）を、持ち上げリンク部７１に便座部２を前後に移動させながら上下動させる方向の回動（上下方向の回動）に変換して伝達することができる。
ここで使用されるリンクボールは、雄ねじ８Ａ，８Ｂを備えたシャンク部がホルダに対して直角に配設されてなる形態のものであり、この形態のリンクボールを２個用いて、一方の雄ねじ８Ａを下向きとし、他方の雄ねじ８Ｂを横向きとしてホルダの後端部同士を連結する。そして、下向きの雄ねじ８Ａを回動板６１に回動可能に連結する一方、横向きの雄ねじ８Ｂをリンク板８２の上方に回動可能に連結し、このリンク板８２の下方を持ち上げリンク部７１の回動中心に固定することで伝達手段８が構成される。
つまり、回動板６２の回動に伴って伝達手段８が前後動して前記リンク板８２を前後方向押し引きして回動させることにより、回動板６２の平面方向の回動を持ち上げリンク部７１の上下方向の回転として伝達される。このとき、回動板６２の端部と前記リンク板の８２端部との距離及び高低に変化が生じるが、この変化は、リンクボールの屈曲作用により吸収することができる。
【００１０】
本発明では、便座部２が最上部に位置したとき、つまり、便座持ち上げリンク部７１と、追従リンク部７２とが前方へ回動する位置においてのみ、ストッパー７３により両リンク部のいずれか一方、又は、両方の前方への回動を停止させることによって、用便時での位置を保持している。
つまり、便座部２は、用便時に便座部２にかかる荷重により前方へ移動しようとするが、ストッパー７３でその回動が停止させられているので、着座時に後方へ回動して下降することはないと共に、用便後にはそのまま便蓋３を閉じることにより後方へ移動しながら下降する。すなわち、特開平２０００−２２５１５２号公報では、ロック機構によって用便時での位置を保持し、当該位置で前方へも後方へも移動できないように固定され、便蓋の回動もロックされるものであり、しかも、便蓋に備えられたワイヤー操作機構の操作によりロックを解除して初めて、便蓋の回動が可能となって便蓋を下降させることができるものであるが、本願発明ではロック機構が不要であるため、機構的に簡単にできる上に、操作性が極めて大きく向上する。
【００１１】
本発明の便蓋３は、便座部２が配設された尻載部１２の端部外側で軸支して便座部２の開閉を左右方向の回動により行うようにしているので、軸支部分が敷設されたマット１１Ａに影響を与えない。つまり、特開平２０００−２２５１５２号公報では、便蓋の軸支がベッド本体の表面上であると共に、当該表面から突出しているので、マットに切れ目を形成する必要があるが、本発明では、上記したようにマットを加工することは不要である。
【００１２】
手すり５とベッド本体１Ａとの連結態様として、図示するようにベッド本体１Ａの足載せ側後端の側面に取付けたスライド管５Ａ，５Ｂに、手すり５の垂直杆５１，５２をスライド可能に貫通させて連結する態様、又は、ベッド本体の足載せ側前端の上面から垂直方向に貫通孔を開孔し、この貫通孔に手すりの垂直杆をスライド可能に貫通させて連結する態様（図示せず）が挙げられる。
この連結態様の場合では、ベッド本体１Ａの足載せ側が折れ曲がるときには、足載部１４が下降しながら手前に引き寄せられるが、このとき、足載部１４が垂直杆５１，５２に沿って下方へスライドし、垂直杆５１，５２がローラ５１Ａ，５１Ｂの転がりによって足載部１４に伴って手前に引き寄せられる。又、通常のベッド状態に戻すときには、足載部１４が上昇しながら前方へ移動するが、このとき、足載部１４が垂直杆５１，５２に沿って上方へスライドし、垂直杆５１，５２がローラ５１Ａ，５１Ｂの転がりによって足載部１４に伴って前方に移動する。つまり、垂直杆５１，５２は足載部１４に対してスライド可能であるので、自重によって上下方向において常に定位置が保持され、この垂直杆５１，５２に対して足載部１４が上下にスライドするので、手すり５は、用便時においてもベッドでの通常使用時においても常に同じ高さとなる。
例示した連結態様においてスライド管５Ａ，５Ｂと垂直杆５１，５２との間にある程度の隙間を設けることによって、接触による抵抗が小さくなるためスムースにスライドする。
又、スライド管５Ａ，５Ｂと垂直杆５１，５２との間に、樹脂製軸受あるいはボールベアリングを介在させることによって、スムースなスライドが可能となる上に、がたつきの防止となる。
【００１３】
【実施例】
以下、本発明の便座付介護用ベッドの最適な実施例を図面に基づいて説明する。
本実施例の便座付介護用ベッドは、本発明の主要部である便座部と便蓋の位置関係及び昇降機構の構造並びに手すりの取付け構造以外は、基本的に本出願人が既に提案している特開平２０００−２２５１５２号公報に記載の便座付介護用ベッドと同様構造を有しているため、当該主要部以外については概略のみの説明とする。
図１及び図２は、本発明に係る便座付介護用ベッド１であり、背受部１１と、尻載部１２と、下腿受部１３と、足載部１４とが椅子状に折り曲げ可能に連結されてなるベッド本体１Ａに、便座部２と、便蓋３と、昇降機構４と、手すり５が支持されている。又、ベッド本体１Ａ上には、該本体の折り曲げに対応することが可能な形態のマット１１Ａが敷かれている。
符号１Ｂは、ベッド本体１Ａを折り曲げ及び折り曲げ解除するための伸縮ロッドであり、モーター１Ｃの作動で伸縮することによって、ベッド本体１Ａを折り曲げて椅子状にしたり、折り曲げを解除して通常のベッド状態に戻すものである。
【００１４】
便座部２は、図３乃至図６、図８及び図９に示すように、ベッド本体１Ａにおける尻載部１２の左端部に位置し、後記する第２リンク機構７における持ち上げリンク部７１と追従リンク部７２とで支持されて、これら両リンク部の動作によって、図７及び図１０に示すように前方及び後方へ移動しながら上下動する。
符号２１は便受部であり、便座部２の直下に着脱可能に掛け止めされている。
【００１５】
便蓋３は、図３乃至図６、図８及び図９に示すように、ベッド本体１Ａに尻載部１２の左端部の外側で左右方向に回動して便座部２を開閉するように軸支され、全開状態においてそれ以上の回動が防止されている。
便蓋３の軸支態様を詳述すると、便蓋３の裏側、且つ開状態において下端となる部位に、便蓋３の面に対して直角に突出させた前後の支持板３１Ａ，３１Ｂがベッド本体１Ａに左右回動可能に軸支され、全開状態において支持板３１が、ベッド本体１Ａに突設された前後の突片３２，３２に接することによって、便蓋３のそれ以上の回動が停止する。
又、便蓋３の回動規制については、図示するように便蓋３が全開状態において、手すり５´に支えられることによっても行われるようにしており、この場合、当接部位に、例えば、ベルベット式ファスナーを設けることにより、便蓋３の閉方向の回動を規制するようにしてもよい。（図示せず。）
又、便蓋３の表面には、前記マット１１Ａとは独立したマット１２Ａが着脱可能に敷かれてる。この着脱に関する手段は、例えば、ベルベット式ファスナーあるいは、便蓋ごと包皮する袋状のカバーが挙げられる。（図示せず。）
尚、マット１２Ａは、載置するのみでもよく、便蓋の開閉時において外したり載置する。
【００１６】
昇降機構４は、図３乃至図１０に示すように、第１リンク機構６と前記した第２リンク機構７と伝達機構８からなり、便蓋３と便座部２とに亘って配設している。
第１リンク機構６は、便蓋３の開閉動作に伴って左右方向に往復動する往復杆６１と、該往復杆に一端が連結されて往復杆６１の往復動に連動して、平面視において略Ｌ型を呈して時計回り及び反時計回りに回動可能に軸支された回動板６２とを備えて構成している。
往復杆６１は、便蓋３の裏側に、便座部２の左右方向に沿い、一端を前記支持板３１Ａに突設された軸支板３１Ｃに便蓋３の回動方向と同方向に回動可能に軸支し、他端を回動板６２の一端にロッドエンド６３を介して軸支して配設されている。
回動板６２は、便座部２の右外側においてベッド本体１Ａに軸支されている。
【００１７】
第２リンク機構７は、伝達機構８を介して回動板６１の回動が伝達されて、便座部２を前後に移動させながら上下動させる方向に回動作する便座持ち上げリンク部７１と、便座持ち上げリンク部７１の動作に便座部２を介して追従して回動作する追従リンク部７２とを備えている。
前記両リンク部は、便座部２が最上部に位置したときに前方へのみ回動する位置となるようにしてある。
さらに、この位置において前記両リンク部の前方への回動を停止させるストッパー７３が備えられている。
【００１８】
便座持ち上げリンク部７１は、便座部２の後方下側でベッド本体１Ａに前後方向回動可能に軸支されている。
詳述すると、便座部２の左右方向に沿って配されて便座部２を支持するブラケット７Ａ，７Ｂを前後方向回動可能に支承したアーム７１１と、該アームの左右端部に一端が固着された回動アーム７１２，７１３と、ベッド本体１Ａに設けられた支持体７１Ａに回動可能に支持され、一端を後記する伝達機構のリンク板８２の下側に連結し、他端を前記右側の回動アーム７１３の他端に固着した回動軸７１４とからなり、左側の回動アーム７１２の他端をベッド本体１Ａに前方へ突設した軸支板７１５に回動可能に軸支してある。
追従リンク部７２は、便座部２の前方下側でベッド本体１Ａに突設した軸支板７１６，７１７に前後回動可能に軸支されている。
詳述すると、便座部２を支持するブラケット７２Ａ，７２Ｂと、一端に該ブラケットを夫々前後方向回動可能に支持し、他端を前記軸支板７１６，７１７に前後方向回動可能に軸支したリンク板７２１，７２２とでなる。
【００１９】
伝達機構８は、リンクボール８１と、前記したリンク板８２とでなる。
リンクボール８１における一端の雄ねじ８Ａを前記回動板６２の他端に固定し、他端の雄ねじ８Ｂをリンク板８２の上側に固定することによって、回動板６１の平面方向の回動を持ち上げリンク部７１の前後方向の回動に変換して伝達するようにしている。
【００２０】
手すり５は、門型に形成したものであり、左右の垂直杆５１，５２をベッド本体の後端側面に取り付けた左右のスライド管５Ａ，５Ｂに、スライド可能に貫通してある。
又、垂直杆５１，５２の下端には、夫々ローラー５１Ａ，５２Ａが取り付けられている。
前記スライド管には樹脂製軸受（図示せず）が内蔵されている。
符号５´は、ベッド本体１Ａ側部の手すりであり、この手すりは、前方を外方に開くようにし、閉じた状態ではロック機構によりロックされ閉状態を保持するようにしてもよい。
【００２１】
次に、以上説明した便座付介護用ベッドの動作を説明する。
先ず、通常のベッド使用状態から、モーター１Ｃによって伸縮ロッド１Ｂを収縮させてベッド本体１Ａを折り曲げて椅子状にする。
このとき、足載部１４が後方移動しながら下降するが、手すり５は垂直杆５１，５２が前記スライド管５Ａ，５Ｂにスライド可能に貫通しているので、足載部１４が垂直杆５１，５２に沿って下降すると共に、手すり５が一定の高さを保持した状態でローラー５１Ａ、５１Ｂの転がりによって足載部１１Ａの後方移動に伴って移動する。
【００２２】
前記のように椅子状にした後に便蓋３を開く。
このとき、便蓋３の開動作により、往復杆６１が左側にスライドし、このスライドに伴って回動板６２が時計回りに回動する。
そして、回動板６２の時計回りの回動に伴って、リンクボール８１が前進しながらリンク板８２を前方方向に回動させる。
このとき生じる回動板６２の端部と前記リンク板８２の端部との距離及び高低の変化は、リンクボール８１の作用によって吸収することができる。
そして、リンク板８２の回動に伴う回動軸７１４の前方回動により、回動アーム７１２，７１３を介してアーム７１１の前方移動しながらの上昇に伴って便座部２が上昇する。
又、便座部２の上昇により、追従リンク部７２のリンク板７２１，７２２が前方回動し、前記回動アーム７１２，７１３及びリンク板７２１，７２２の傾きが、上下方向の中心を越えて前方方向へのみ回動可能な状態とする位置で、ストッパー７３に接触することによって、この位置以上の前方回動が停止する。
前方回動が停止する位置は、便座部２の表面と尻載部１２の表面が略同面となる位置である。
用便が終わり通常のベッド状態に戻すときには、便蓋３を閉じれば昇降機構４が前記した開動作の逆の動作をして便座部２を下降させ、そして、モーター１Ｃによって伸縮ロッド１Ｂを伸長させてベッド本体１Ａの折り曲げを解除して通常のベッド使用状態にする。
前記した便座部２の上下動における各部位の動作は、便蓋３の開動作にリンクして同時に行われる。
【００２３】
尚、便蓋を全開しているときに、例えば、便蓋をベッド本体の左右にある手すりに掛止してもよい。
又、前記した便蓋の開閉については手動によるもので説明しているが、例えば、前記回動板をモーターによって回動させることで便蓋を開閉して便座部の上下動を行ってもよい。
【００２４】
【発明の効果】
本発明は、以上説明した通りの構成にしたことにより、下記の優れた特有の効果が有る。
便蓋の開閉方向が左右方向であるため、被介護者が開閉操作する場合、従来の前後方向に比べて開閉が容易であって楽に行える。
これは、便座部の隣に座って便蓋の開閉を行う場合には、前後方向よりも左右方向の開閉動作である方が、人間の腕の構造として動かしやすいし、可動域も広いからである。
その上、用便時における便座部の定位置保持について従来のようなロック機構は必要ないし、便蓋を閉じるときにロック機構を解除する機構も必要ない。
したがって、身体の不自由な被介護者が、用便を行うための便蓋の開閉動作が容易、且つ楽に行えるので、被介護者自身がさらに積極的に動こうとし、これによって、被介護者自身による生活上でのリハビリテーションが極めて効果的に行うことができる。
又、前記したようにロック機構及びロック解除の機構が不要であるので、昇降機構の構成が簡単になって、製作コストや部品コストが削減され、現状よりも安価に提供することができる。
さらに、便蓋がベッド本体の外側で軸支されているためベッド本体上に便蓋を支持するヒンジが突出しないので、マットにヒンジをよけるための切込みや空間を形成する必要はない。
【００２５】
請求項２の発明によれば、前記効果に加えて、手すりの高さを通常のベッド使用時においても、用便時においても常に同じ高さに保持することができる。
したがって、通常のベッド使用時において手すりとして問題なく使用することができるし、用便時においても手すりとして問題なく使用することができる上に、通常のベッド使用時において全く邪魔にならない。
【図面の簡単な説明】
【図１】本発明に係る便座付介護用ベッドの用便時を示す側面図。
【図２】同、正面図。
【図３】要部拡大切欠平面図。
【図４】図３の（４）―（４）線断面図。
【図５】図３の（５）―（５）線断面図。
【図６】図３の（６）―（６）線断面図。
【図７】図３の（７）―（７）線断面図。
【図８】閉蓋時を示す要部拡大切欠平面図。
【図９】図８の（９）―（９）線断面図。
【図１０】図８の（１０）―（１０）線断面図。
【符号の説明】
１：便座付介護用ベッド
２：便座部
３：便蓋
４：昇降機構
５：手すり５
６：第１リンク機構
７：第２リンク機構
８：伝達機構
１Ａ：ベッド本体
１２：尻載部
５Ａ，５Ｂ：スライド管
５１Ａ，５１Ｂ：ローラー
６１：往復杆
６２：回動板
７１：持ち上げリンク部
７２：追従リンク部
７３：ストッパー
【図１】
0003554549.tif 000002
【図２】
0003554549.tif 000003
【図３】
0003554549.tif 000004
【図４】
0003554549.tif 000005
【図５】
0003554549.tif 000006
【図６】
0003554549.tif 000007
【図７】
0003554549.tif 000008
【図８】
0003554549.tif 000009
【図９】
0003554549.tif 000010
【図１０】
0003554549.tif 000011